【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】
第１ビームを出射する第１レーザ光源と、
前記第１ビームに対し偏光面が互いにほぼ直交するようにして第２ビームを出射する第２レーザ光源と、
前記第１ビームと前記第２ビームの偏光状態に従い、一方のビームを選択的に回折させる偏光回折手段と、
前記偏光回折手段を通過した前記第１ビームを第１光情報記録媒体の情報記録面に集光することにより情報の記録及び／又は再生を行い、前記偏光回折手段を通過した前記第２ビームを第２光情報記録媒体の情報記録面に集光することにより情報の記録及び／又は再生を行う対物レンズと、を具備し、
前記第１ビームの波長と前記第２ビームの波長とは互いに異なり、
前記対物レンズが、正のパワーを有する屈折レンズと、前記屈折レンズの少なくとも一つのレンズ面に形成された微細な段差を有する複数の輪帯からなる回折レンズ構造を有し、前記回折レンズ構造は、波長の短い方のビームに対する回折効率が最大となる回折次数と、波長の長い方のビームに対する回折効率が最大となる回折次数とが互いに異なっており、
前記偏光回折手段が、前記第１ビームと前記第２ビームのいずれか一方が所定の偏光状態で入射する際に、０以外の所定の回折次数で回折効率が最大となる回折光を発生させるようになっていることを特徴とする光ピックアップ装置。
【請求項２】
第１ビームを出射する第１レーザ光源と、
前記第１ビームに対し偏光面が互いにほぼ直交するようにして第２ビームを出射する第２レーザ光源と、
前記第１ビームと前記第２ビームの偏光状態に従い、一方のビームを選択的に回折させる偏光回折手段と、
前記偏光回折手段を通過した前記第１ビームを第１光情報記録媒体の情報記録面に集光することにより情報の記録又は再生を行い、前記偏光回折手段を通過した前記第２ビームを第２光情報記録媒体の情報記録面に集光することにより情報の記録又は再生を行う対物レンズと、を具備し、
前記第１ビームの波長と前記第２ビームの波長とは互いに異なると共に、波長の短い方のビームが前記偏光回折手段によって回折せしめられることを特徴とする光ピックアップ装置。
【請求項３】
第１ビームと前記第１ビームに対し偏光面が互いにほぼ直交するようにして入射される第２ビームとの偏光状態に従い、一方のビームを選択的に回折させる偏光回折手段と、
前記偏光回折手段を通過した前記第１ビームを第１光情報記録媒体の情報記録面に集光することにより情報の記録又は再生を行い、前記偏光回折手段を通過した前記第２ビームを第２光情報記録媒体の情報記録面に集光することにより情報の記録又は再生を行う対物レンズと、を具備し、
前記第１ビームの波長と前記第２ビームの波長とは等しいことを特徴とする光ピックアップ装置。
【請求項４】
前記対物レンズが、正のパワーを有する屈折レンズと、該屈折レンズの少なくとも一つのレンズ面に形成された微細な段差を有する複数の輪帯からなる回折レンズ構造を有し、前記回折レンズ構造は、波長の短い方のビームに対する回折効率が最大となる回折次数と、波長の長い方のビームに対する回折効率が最大となる回折次数とが互いに異なっており、
前記偏光回折手段が、前記第１ビームと前記第２ビームのいずれか一方が所定の偏光状態で入射する際に、０以外の所定の回折次数で回折効率が最大となる回折光を発生させるようになっていることを特徴とする請求項２に記載の光ピックアップ装置。
【請求項５】
前記偏光回折手段は、偏光面が互いに直交する２つの入射光の一方に対し回折効率が８５％以上で回折する回折光を発生させることを特徴とする請求項１乃至３のいずれかに記載の光ピックアップ装置。
【請求項６】
前記第１ビームの波長をλ１、前記回折レンズ構造を前記第１ビームの光束が通過したときに回折効率が最大となる回折次数をｍｌ、前記第２ビームの波長をλ２（＞λ１）、前記回折レンズ構造を前記第２ビームが通過したときに回折効率が最大となる回折次数をｍ２としたとき、以下の条件を満足し、且つ前記偏光回折手段は、一方のビームが通過したときに選択的に回折光を発生させることを特徴とする請求項１に記載の光ピックアップ装置。
０．９＜｜ｍ１・λ１｜／｜ｍ２・λ２｜＜１．１            （１）
【請求項７】
前記第１ビーム又は前記第２ビームに対し偏光面が互いにほぼ直交するようにして波長λ３の第３ビームを出射する第３レーザ光源を有し、
前記第１ビームの波長をλ１（＜λ３）、前記回折レンズ構造を前記第１ビームが通過したときに回折効率が最大となる回折次数をｍ１、前記第２ビームの波長をλ２（λ１＜λ２＜λ３）、前記回折レンズ構造を前記第２ビームが通過したときに回折効率が最大となる回折次数をｍ２とし、前記回折レンズ構造を前記第３ビームが通過したときに回折効率が最大となる回折次数をｍ３としたとき、以下の条件を満足し、且つ前記偏光回折手段は、１つもしくは２つのビームが通過したときに選択的に回折光を発生させることを特徴とする請求項３に記載の光ピックアップ装置。
０．９＜｜ｍ１・λ１｜／｜ｍ２・λ２｜＜１．１            （２）
｜ｍ３・λ３｜／｜ｍ１・λ１｜＜０．９
または｜ｍ３・λ３｜／｜ｍ１・λ１｜＞１．１                （３）
【請求項８】
前記偏光面のそろった２つのビームに対し、前記偏光回折手段が選択的に回折し、かつ前記２つの波長に対し回折効率が最大となる回折次数が異なることを特徴とする請求項７に記載の光ピックアップ装置。
【請求項９】
前記偏光回折手段が前記対物レンズと一体で駆動されることを特徴とする請求項１又は２に記載の光ピックアップ装置。
【請求項１０】
前記偏光回折手段は、複屈折媒質と等方性媒質を光軸方向に密着配置して構成されていることを特徴とする請求項１又は２に記載の光ピックアップ装置。
【請求項１１】
前記複屈折媒質は、入射光の進行方向に直角な面での断面が同心円に、入射光の進行方向を含む放射方向の平面での断面が鋸歯形状に形成されたことを特徴とする請求項１０に記載の光ピックアップ装置。
【請求項１２】
光源から出射されるビームを偏光方向に依存して選択的に回折させる偏光回折手段と、少なくとも一つの光学面に形成された微細な段差を有する複数の輪帯からなる回折レンズ構造と、正のパワーを有する屈折レンズと、を具備し、
前記ビームを、前記偏光回折手段及び前記回折レンズ構造に通過させ、前記屈折レンズにより光情報記録媒体上に集光させるようになっている光ピックアップ装置用光学系であって、
前記回折レンズ構造は、情報記録又は再生のために使用される複数の波長のうち、短い波長のビームに対する回折効率が最大となる回折次数と、長い波長のビームに対する回折効率が最大となる回折次数とが互いに異なり、かつ前記偏光回折手段が、前記複数の波長のうち少なくとも１つの波長のビームが所定の偏光状態で入射する際に、０以外の所定の回折次数で回折効率が最大となる回折光を発生させるようになっていることを特徴とする光ピックアップ装置用光学系。
【請求項１３】
前記回折レンズ構造を有する回折素子及び前記屈折レンズにより対物レンズユニットが構成されていることを特徴とする請求項１２に記載の光ピックアップ装置用光学系。
【請求項１４】
前記回折レンズ構造が前記屈折レンズの少なくとも一つのレンズ面に形成されていることを特徴とする請求項１２に記載の光ピックアップ装置用光学系。
【請求項１５】
前記偏光回折手段は、偏光面が互いに直交する２つの入射光の一方に対し回折効率が８５％以上で回折する回折光を発生させることを特徴とする請求項１２乃至１４のいずれかに記載の光ピックアップ装置用光学系。
【請求項１６】
前記第１ビームの波長をλ１、前記回折レンズ構造を前記第１ビームの光束が通過したときに回折効率が最大となる回折次数をｍｌ、前記第２ビームの波長をλ２（＞λ１）、前記回折レンズ構造を前記第２ビームが通過したときに回折効率が最大となる回折次数をｍ２としたとき、以下の条件を満足し、且つ前記偏光回折手段は、一方のビームが通過したときに選択的に回折光を発生させることを特徴とする請求項１２乃至１４のいずれかに記載の光ピックアップ装置用光学系。
０．９＜｜ｍ１・λ１｜／｜ｍ２・λ２｜＜１．１            （１）
【請求項１７】
前記第１ビーム又は前記第２ビームに対し偏光面が互いにほぼ直交するようにして波長λ３の第３ビームを出射する第３レーザ光源を有し、前記第１ビームの波長をλ１（＜λ３）、前記回折レンズ構造を前記第１ビームが通過したときに回折効率が最大となる回折次数をｍ１、前記第２ビームの波長をλ２（λ１＜λ２＜λ３）、前記回折レンズ構造を前記第２ビームが通過したときに回折効率が最大となる回折次数をｍ２とし、前記回折レンズ構造を前記第３ビームが通過したときに回折効率が最大となる回折次数をｍ３としたとき、以下の条件を満足し、且つ前記偏光回折手段は、１つもしくは２つのビームが通過したときに選択的に回折光を発生させることを特徴とする請求項１２乃至１４のいずれかに記載の光ピックアップ装置用光学系。
０．９＜｜ｍ１・λ１｜／｜ｍ２・λ２ｌ＜１．１            （２）
｜ｍ３・λ３｜／｜ｍ１・λ１｜＜０．９
または｜ｍ３・λ３｜／｜ｍ１・λ１｜＞１．１                （３）
【請求項１８】
前記偏光面のそろった２つのビームに対し、前記偏光回折手段が選択的に回折し、かつ前記２つの波長に対し回折効率が最大となる回折次数が異なることを特徴とする請求項１７に記載の光ピックアップ装置用光学系。
【請求項１９】
前記偏光回折手段が前記対物レンズと一体で駆動されることを特徴とする請求項１２乃至１４のいずれかに記載の光ピックアップ装置用光学系。
【請求項２０】
前記偏光回折手段は、複屈折媒質と等方性媒質を光軸方向に密着配置して構成されていることを特徴とする請求項１２乃至１４のいずれかに記載の光ピックアップ装置用光学系。
【請求項２１】
前記複屈折媒質は、入射光の進行方向に直角な面での断面が同心円に、入射光の進行方向を含む放射方向の平面での断面が鋸歯形状に形成されたことを特徴とする請求項２０に記載の光ピックアップ装置用光学系。
【手続補正２】
【補正対象書類名】明細書
【補正対象項目名】０００７
【補正方法】変更
【補正の内容】
【０００７】
【課題を解決するための手段】
請求項１に記載の光ピックアップ装置は、第１ビームを出射する第１レーザ光源と、前記第１ビームに対し偏光面が互いにほぼ直交するようにして第２ビームを出射する第２レーザ光源と、前記第１ビームと前記第２ビームの偏光状態に従い、一方のビームを選択的に回折させる偏光回折手段と、前記偏光回折手段を通過した前記第１ビームを第１光情報記録媒体の情報記録面に集光することにより情報の記録及び／又は再生を行い、前記偏光回折手段を通過した前記第２ビームを第２光情報記録媒体の情報記録面に集光することにより情報の記録及び／又は再生を行う対物レンズと、を具備し、前記第１ビームの波長と前記第２ビームの波長とは互いに異なり、前記対物レンズが、正のパワーを有する屈折レンズと、前記屈折レンズの少なくとも一つのレンズ面に形成された微細な段差を有する複数の輪帯からなる回折レンズ構造を有し、前記回折レンズ構造は、波長の短い方のビームに対する回折効率が最大となる回折次数と、波長の長い方のビームに対する回折効率が最大となる回折次数とが互いに異なっており、前記偏光回折手段が、前記第１ビームと前記第２ビームのいずれか一方が所定の偏光状態で入射する際に、０以外の所定の回折次数で回折効率が最大となる回折光を発生させるようになっていることを特徴とする。例えば前記第１ビームを使用する光情報記録媒体（光ディスクともいう）の保護層の厚さが、前記第２ビームを使用する光情報記録媒体の保護層の厚さと異なるにも関わらず、前記第１ビームの波長と前記第２のビームの波長が同じ場合には、同一の光学系を用いると、一方のビームにおいて球面収差が発生することになるが、本発明によれば、一方のビームのみ前記偏光回手段を介して回折作用を行わせることで、いずれの光情報記録媒体使用時においても球面収差の発生を抑制して、適切な情報の記録及び／又は再生を行える。又、開口数ＮＡが異なる場合にも、一方のビームのみ前記偏光回手段を介して要求開口数以上のビームをフレア化させることで、いずれの光情報記録媒体使用時においても、適切な情報の記録及び／又は再生を行える。
請求項２に記載の光ピックアップ装置は、第１ビームを出射する第１レーザ光源と、前記第１ビームに対し偏光面が互いにほぼ直交するようにして第２ビームを出射する第２レーザ光源と、前記第１ビームと前記第２ビームの偏光状態に従い、一方のビームを選択的に回折させる偏光回折手段と、前記偏光回折手段を通過した前記第１ビームを第１光情報記録媒体の情報記録面に集光することにより情報の記録又は再生を行い、前記偏光回折手段を通過した前記第２ビームを第２光情報記録媒体の情報記録面に集光することにより情報の記録又は再生を行う対物レンズと、を具備し、前記第１ビームの波長と前記第２ビームの波長とは互いに異なると共に、波長の短い方のビームが前記偏光回折手段によって回折せしめられることを特徴とする。
請求項３に記載の光ピックアップ装置は、第１ビームと前記第１ビームに対し偏光面が互いにほぼ直交するようにして入射される第２ビームとの偏光状態に従い、一方のビームを選択的に回折させる偏光回折手段と、前記偏光回折手段を通過した前記第１ビームを第１光情報記録媒体の情報記録面に集光することにより情報の記録又は再生を行い、前記偏光回折手段を通過した前記第２ビームを第２光情報記録媒体の情報記録面に集光することにより情報の記録又は再生を行う対物レンズと、を具備し、前記第１ビームの波長と前記第２ビームの波長とは等しいことを特徴とする。
【手続補正３】
【補正対象書類名】明細書
【補正対象項目名】０００８
【補正方法】変更
【補正の内容】
【０００８】
請求項４に記載の光ピックアップ装置は、請求項２に記載の発明において、前記対物レンズが、正のパワーを有する屈折レンズと、該屈折レンズの少なくとも一つのレンズ面に形成された微細な段差を有する複数の輪帯からなる回折レンズ構造を有し、前記回折レンズ構造は、波長の短い方のビームに対する回折効率が最大となる回折次数と、波長の長い方のビームに対する回折効率が最大となる回折次数とが互いに異なっており、前記偏光回折手段が、前記第１ビームと前記第２ビームのいずれか一方が所定の偏光状態で入射する際に、０以外の所定の回折次数で回折効率が最大となる回折光を発生させるようになっていることを特徴とするので、例えばＣＤ、ＤＶＤ、高密度ＤＶＤなど、保護層の厚さや開口数ＮＡが異なる光情報記録媒体に対して情報記録及び／又は再生を行う際に、一方のビームのみ前記偏光回手段を介して回折作用を行わせることで、いずれの光情報記録媒体使用時においても球面収差の発生を抑制して、適切な情報の記録及び／又は再生を行える。又、異なる開口数ＮＡに対して、一つのビームのみ前記偏光回手段を介して要求開口数以上のビームをフレア化させることで、いずれの光情報記録媒体使用時においても、適切な情報の記録及び／又は再生を行える。
【手続補正４】
【補正対象書類名】明細書
【補正対象項目名】０００９
【補正方法】変更
【補正の内容】
【０００９】
請求項５に記載の光ピックアップ装置は、請求項１乃至３のいずれかに記載の発明において、前記偏光回折手段は、偏光面が互いに直交する２つの入射光の一方に対し回折効率が８５％以上で回折する回折光を発生させることを特徴とする。
【手続補正５】
【補正対象書類名】明細書
【補正対象項目名】００１０
【補正方法】変更
【補正の内容】
【００１０】
請求項６に記載の光ピックアップ装置は、請求項１に記載の発明において、前記第１ビームの波長をλ１、前記回折レンズ構造を前記第１ビームの光束が通過したときに回折効率が最大となる回折次数をｍ１、前記第２ビームの波長をλ２（＞λ１）、前記回折レンズ構造を前記第２ビームが通過したときに回折効率が最大となる回折次数をｍ２としたとき、以下の条件を満足し、且つ前記偏光回折手段は、一方のビームが通過したときに選択的に回折光を発生させることを特徴とする。
０．９＜｜ｍ１・λ１｜／｜ｍ２・λ２｜＜１．１     （１）
【手続補正６】
【補正対象書類名】明細書
【補正対象項目名】００１１
【補正方法】変更
【補正の内容】
【００１１】
請求項７に記載の光ピックアップ装置は、請求項３に記載の発明において、前記第１ビーム又は前記第２ビームに対し偏光面が互いにほぼ直交するようにして波長λ３の第３ビームを出射する第３レーザ光源を有し、前記第１ビームの波長をλ１（＜λ３）、前記回折レンズ構造を前記第１ビームが通過したときに回折効率が最大となる回折次数をｍ１、前記第２ビームの波長をλ２（λ１＜λ２＜λ３）、前記回折レンズ構造を前記第２ビームが通過したときに回折効率が最大となる回折次数をｍ２とし、前記回折レンズ構造を前記第３ビームが通過したときに回折効率が最大となる回折次数をｍ３としたとき、以下の条件を満足し、且つ前記偏光回折手段は、１つもしくは２つのビームが通過したときに選択的に回折光を発生させることを特徴とする。
０．９＜｜ｍ１・λ１｜／｜ｍ２・λ２｜＜１．１   （２）
｜ｍ３・λ３｜／｜ｍ１・λ１｜＜０．９
または｜ｍ３・λ３｜／｜ｍ１・λ１｜＞１．１       （３）
【手続補正７】
【補正対象書類名】明細書
【補正対象項目名】００１２
【補正方法】変更
【補正の内容】
【００１２】
請求項８に記載の光ピックアップ装置は、請求項７に記載の発明において、前記偏光面のそろった２つのビームに対し、前記偏光回折手段が選択的に回折し、かつ前記２つの波長に対し回折効率が最大となる回折次数が異なることを特徴とする。
【手続補正８】
【補正対象書類名】明細書
【補正対象項目名】００１３
【補正方法】変更
【補正の内容】
【００１３】
請求項９に記載の光ピックアップ装置は、請求項１又は２に記載の発明において、前記偏光回折手段が前記対物レンズと一体で駆動されることを特徴とする。
【手続補正９】
【補正対象書類名】明細書
【補正対象項目名】００１４
【補正方法】変更
【補正の内容】
【００１４】
請求項１０に記載の光ピックアップ装置は、請求項１又は２に記載の発明において、前記偏光回折手段は、複屈折媒質と等方性媒質を光軸方向に密着配置して構成されていることを特徴とする。
【手続補正１０】
【補正対象書類名】明細書
【補正対象項目名】００１５
【補正方法】変更
【補正の内容】
【００１５】
請求項１１に記載の光ピックアップ装置は、請求項１０に記載の発明において、前記複屈折媒質は、入射光の進行方向に直角な面での断面が同心円に、入射光の進行方向を含む放射方向の平面での断面が鋸歯形状に形成されたことを特徴とする。
【手続補正１１】
【補正対象書類名】明細書
【補正対象項目名】００１６
【補正方法】変更
【補正の内容】
【００１６】
請求項１２に記載の光ピックアップ装置用光学系は、光源から出射されるビームを偏光方向に依存して選択的に回折させる偏光回折手段と、少なくとも一つの光学面に形成された微細な段差を有する複数の輪帯からなる回折レンズ構造と、正のパワーを有する屈折レンズと、を具備し、前記ビームを、前記偏光回折手段及び前記回折レンズ構造に通過させ、前記屈折レンズにより光情報記録媒体上に集光させるようになっている光ピックアップ装置用光学系であって、前記回折レンズ構造は、情報記録又は再生のために使用される複数の波長のうち、短い波長のビームに対する回折効率が最大となる回折次数と、長い波長のビームに対する回折効率が最大となる回折次数とが互いに異なり、かつ前記偏光回折手段が、前記複数の波長のうち少なくとも１つの波長のビームが所定の偏光状態で入射する際に、０以外の所定の回折次数で回折効率が最大となる回折光を発生させるようになっていることを特徴とする。本発明の作用効果は、請求項１に記載の発明と同様である。
請求項１３に記載の光ピックアップ装置用光学系は、請求項１２に記載の発明において、前記回折レンズ構造を有する回折素子及び前記屈折レンズにより対物レンズユニットが構成されていることを特徴とする。
請求項１４に記載の光ピックアップ装置用光学系は、請求項１２に記載の発明において、前記回折レンズ構造が前記屈折レンズの少なくとも一つのレンズ面に形成されていることを特徴とする。
【手続補正１２】
【補正対象書類名】明細書
【補正対象項目名】００１７
【補正方法】変更
【補正の内容】
【００１７】
請求項１５に記載の光ピックアップ装置用光学系は、請求項１２乃至１４のいずれかに記載の発明において、前記偏光回折手段は、偏光面が互いに直交する２つの入射光の一方に対し回折効率が８５％以上で回折する回折光を発生させることを特徴とする。
【手続補正１３】
【補正対象書類名】明細書
【補正対象項目名】００１８
【補正方法】変更
【補正の内容】
【００１８】
請求項１６に記載の光ピックアップ装置用光学系は、請求項１２乃至１４のいずれかに記載の発明において、前記第１ビームの波長をλ１、前記回折レンズ構造を前記第１ビームの光束が通過したときに回折効率が最大となる回折次数をｍ１、前記第２ビームの波長をλ２（＞λ１）、前記回折レンズ構造を前記第２ビームが通過したときに回折効率が最大となる回折次数をｍ２としたとき、以下の条件を満足し、且つ前記偏光回折手段は、一方のビームが通過したときに選択的に回折光を発生させることを特徴とする。
０．９＜｜ｍ１・λ１｜／｜ｍ２・λ２｜＜１．１     （１）
【手続補正１４】
【補正対象書類名】明細書
【補正対象項目名】００１９
【補正方法】変更
【補正の内容】
【００１９】
請求項１７に記載の光ピックアップ装置用光学系は、請求項１２乃至１４のいずれかに記載の発明において、前記第１ビーム又は前記第２ビームに対し偏光面が互いにほぼ直交するようにして波長λ３の第３ビームを出射する第３レーザ光源を有し、前記第１ビームの波長をλ１（＜λ３）、前記回折レンズ構造を前記第１ビームが通過したときに回折効率が最大となる回折次数をｍ１、前記第２ビームの波長をλ２（λ１＜λ２＜λ３）、前記回折レンズ構造を前記第２ビームが通過したときに回折効率が最大となる回折次数をｍ２とし、前記回折レンズ構造を前記第３ビームが通過したときに回折効率が最大となる回折次数をｍ３としたとき、以下の条件を満足し、且つ前記偏光回折手段は、１つもしくは２つのビームが通過したときに選択的に回折光を発生させることを特徴とする。
０．９＜｜ｍ１・λ１｜／｜ｍ２・λ２｜＜１．１   （２）
｜ｍ３・λ３｜／｜ｍ１・λ１｜＜０．９
または｜ｍ３・λ３｜／｜ｍ１・λ１｜＞１．１       （３）
【手続補正１５】
【補正対象書類名】明細書
【補正対象項目名】００２０
【補正方法】変更
【補正の内容】
【００２０】
請求項１８に記載の光ピックアップ装置用光学系は、請求項１７に記載の発明において、前記偏光面のそろった２つのビームに対し、前記偏光回折手段が選択的に回折し、かつ前記２つの波長に対し回折効率が最大となる回折次数が異なることを特徴とする。
【手続補正１６】
【補正対象書類名】明細書
【補正対象項目名】００２１
【補正方法】変更
【補正の内容】
【００２１】
請求項１９に記載の光ピックアップ装置用光学系は、請求項１２乃至１４のいずれかに記載の発明において、前記偏光回折手段が前記対物レンズと一体で駆動されることを特徴とする。
【手続補正１７】
【補正対象書類名】明細書
【補正対象項目名】００２２
【補正方法】変更
【補正の内容】
【００２２】
請求項２０に記載の光ピックアップ装置用光学系は、請求項１２乃至１４のいずれかに記載の発明において、前記偏光回折手段は、複屈折媒質と等方性媒質を光軸方向に密着配置して構成されていることを特徴とする。
【手続補正１８】
【補正対象書類名】明細書
【補正対象項目名】００２３
【補正方法】変更
【補正の内容】
【００２３】
請求項２１に記載の光ピックアップ装置用光学系は、請求項２０に記載の発明において、前記複屈折媒質は、入射光の進行方向に直角な面での断面が同心円に、入射光の進行方向を含む放射方向の平面での断面が鋸歯形状に形成されたことを特徴とする。